(57)【特許請求の範囲】
【請求項１】
薄いプラスチック板を一体成形した中容器と、発泡プラスチックの縁枠からなり、前記中容器の上周縁先端から下方に延びた延長部が形成されており、その延長部の先端は縁枠と熱融着されて中容器と縁枠との間に熱遮断空間が形成された食品簡易容器本体と、その外周に下方に延びた周縁部を有し、食品簡易容器本体に被せる蓋部材とからなる食品用簡易容器であって、
前記中容器の上周縁先端から下方に延びた延長部の外面に係止部を設け、
前記蓋部材の外周に下方に延びた周縁部の内面に係止部を設け、
蓋部材を容器本体に被せたとき、この蓋部材の周縁部の内面に設けた係止部が、中容器の上周縁先端から下方に延びた延長部の外面に設けた係止部と係止し合うようにした食品用簡易容器。
【請求項２】
縁枠の高さを中容器の高さよりも低く形成した請求項１に記載の食品用簡易容器。
【請求項３】
蓋部材の周縁を広く形成して、縁枠の外周が蓋部材によって覆われるようにした請求項１また２に記載の食品用簡易容器。
【発明の詳細な説明】
【０００１】
【発明の属する技術分野】
本発明は、薄いプラスチック板を一体成形した中容器と発泡プラスチックの縁枠からなり、とくに、電子レンジでの加熱に適した食品用簡易容器に関する。
【０００２】
【従来の技術】
本願出願人は、先に、平成１２年４月１１日出願に係る特許出願、特願２０００−１０９４８９において、係る電子レンジでの加熱に適した食品用簡易容器を開示した。
【０００３】
この食品用簡易容器の本体５は、図２の平面図と図３の断面図に示すように、厚みが０．２〜０．５ｍｍ程度の薄い耐熱性プラスチックの一体成形体からなる中容器１と、３〜７ｍｍ厚程度の発泡プラスチック製の縁枠２からなり、この二重の熱遮断空間３１と３２によって、中容器１内の収納物の電子レンジによる加熱に際して、比較的低融点の発泡プラスチック材によって形成されている縁枠２の溶け落ち、変形を防止することができる構造としたものである。
【０００４】
この食品用簡易容器は、加工食品類を本体５に詰めたのち、中容器１内の収納物の加熱に際して熱の放出を防ぐため、図４に４として示す通常、透明の極く薄いプラスチックからなる蓋部材を容器本体５へ嵌合される。この蓋部材４は、その外周に下方に延びた周縁部４１を有し、その周縁部４１の下端４２は、被せたとき、中容器１の周縁部１２に当接し、さらに、その下端４２に、さらに延長部４３が形成され、延長部４３の先端部分は、縁枠２と嵌合係止するように形成されている。
【０００５】
さらに、先の出願においては、この蓋部材４の容器本体５への嵌合構造の他の例として、図４に示すように、容器本体１０の中容器１の周縁部１２に形成された下方延長部１３の外周面に嵌合される形態のものも開示した。
【０００６】
【発明が解決しようとする課題】
ところが、このような構造のものでは、製造工程上、縁枠の厚みが正確に出せないため、予め一体成形によって得られた蓋の下縁の内径との関係が一定とならず、加工食品の詰め込み後の蓋を被せた際、蓋の縁枠への嵌合が甘くなったり、蓋が最初から嵌合されなかったり、さらには、電子レンジによる加熱に際して蓋部材と容器本体との係止が簡単に外れてしまう問題は、依然として完全には解決されない。
【０００７】
本発明における解決課題は、係る電子レンジによる加熱に適した簡易容器における蓋の嵌合の問題の解決にある。
【０００８】
【課題を解決するための手段】
本発明は、薄いプラスチック板を一体成形した中容器と、発泡プラスチックの縁枠からなり、前記中容器の上周縁先端から下方に延びた延長部が形成されており、その延長部の先端は縁枠と熱融着されて中容器と縁枠との間に熱遮断空間が形成された食品簡易容器本体と、その外周に下方に延びた周縁部を有し、食品簡易容器本体に被せる蓋部材とからなる食品用簡易容器であって、
前記中容器の上周縁先端から下方に延びた延長部の外面に係止部を設け、
前記蓋部材の外周に下方に延びた周縁部の内面に係止部を設け、
蓋部材を容器本体に被せたとき、この蓋部材の周縁部の内面に設けた係止部が、中容器の上周縁先端から下方に延びた延長部の外面に設けた係止部と係止し合うようにしたことを特徴とする。
【０００９】
【発明の実施の形態】
以下に、本発明の実施の形態を実施例に基づいて説明する。
【００１０】
本発明に係る食品用簡易容器の本体５の上方から見た平面図は、先の図２と基本的には同じであり、図１は、本発明に係る食品用簡易容器１０の実施例の断面を、蓋部材４を容器本体５に被せて係止し嵌合した状態で示す。
【００１１】
本発明の食品用簡易容器１０の本体５は、先に開示した容器と同様に、薄い耐熱性プラスチックの一体成形体からなる中容器１と、発泡プラスチック製の縁枠２からなる。そして、中容器１と縁枠２との間には、その下端を縁枠２の下端と熱融着した立ち上がり部１１の上縁の周縁部１２からの延長部１３と縁枠２の内面との間に形成した第１の熱遮断空間３１と、中容器１の立ち上がり部１１の延長部１３との間に形成された第２の熱遮断空間３２との二重の熱遮断空間に、中容器１内の収納物の電子レンジによる加熱に際して、縁枠２の溶け落ち、変形を防止することができる構造とし、さらに、この本体５は、その外周に下方に延びた周縁部４１を有する蓋部材４が嵌合できる構造になっている。
【００１２】
本願発明の特徴は、中容器１の上縁の周縁部１２からの延長部１３の外面に凹部を形成した係止部１４が形成され、中容器１の延長部１３の外面と嵌合状態で接する蓋部材４の周縁部４１の下端面４２は、中容器１の上縁の周縁部１２に接触して載置され、さらに、そこから下方に延びる延長部４３には、蓋部材４の延長部１３の外面に形成した凹部からなる係止部１４に挿入される凸状の係止部４４が形成され、蓋部材４を本体５に被せたとき、中容器１と蓋部材４とのそれぞれの係止部１４と４４が係止し、電子レンジによる加熱に際しても蓋部材４は中容器１から外れることはない。
【００１３】
また、本発明の実施例においては、縁枠２の高さを中容器１の高さよりも低く形成している。すなわち、縁枠２の上端の位置を、中容器１の立ち上がり部１１の上縁よりも低く形成しており、容器本体５を重ね合わせて搬送する際に、重ね合わせた嵩高さを低くできる。これによって、搬送に際しての嵩容量を小さくでき、流通の効率を上げることができる。
【００１４】
係止部４４を形成した延長部４３は、係止部４４から下方位置で水平方向に展開されて、さらにその外方先端には、縁枠２の上端に係止するフック状の係止部４５が形成され、これによって、縁枠２は蓋部材４によって覆われ、また、蓋部材４は縁枠２によっても係止される。
【００１５】
【発明の効果】
電子レンジで中容器内の収納食品を加熱するに際して、比較的低融点の素材からなる発泡プラスチックの縁枠は変形あるいは溶け落ちすることはないという機能を有する簡易容器において、以下の効果を奏する。
【００１６】
１．  蓋部材は、容器本体の内容器に係止されているので、収納した加工食品の加熱に際しての縁枠の変形によって外れることはなく、食品容器としての安定性が増す。
【００１７】
２．  蓋部材の周縁を拡大して、縁枠部分まで覆う構造にすることによって、見栄えも良くなり、内容器への汚染の侵入の機会が少なくなり、より衛生的である。
【００１８】
３．  簡易容器としての収納容積を減少することなく、搬送の際の重ね合わせの嵩容積を小さくでき、流通効率を向上させることができる。
【図面の簡単な説明】
【図１】  本願発明に係る食品用簡易容器の実施例を図２のI-I線で切断した断面を示す。
【図２】  本願発明と先行技術に記載の食品用簡易容器の平面図を示す。
【図３】  先行技術に記載の食品用簡易容器の断面を示す。
【図４】  先行技術に記載の他の食品用簡易容器の断面を示す。
【符号の説明】
１０  本発明の食品用簡易容器
１  中容器
１１  立ち上がり部    １２  上縁の周縁部
１３  上縁周縁の延長部  １４  係止部
２  縁枠
２１  蓋部材の挿着溝
３１，３２  熱遮断空間
４  蓋部材
４１  蓋部材の周縁部    ４２  蓋部材の周縁部の下端
４３  延長部            ４４  係止部
４５  先端係止部
５  容器本体
【図１】
0003927356.tif 000002
【図２】
0003927356.tif 000003
【図３】
0003927356.tif 000004
【図４】
0003927356.tif 000005